【手続補正書】
【提出日】平成16年7月21日(2004.7.21)
【手続補正１】
【補正対象書類名】明細書
【補正対象項目名】特許請求の範囲
【補正方法】変更
【補正の内容】
【特許請求の範囲】
【請求項１】
ベース上の、少なくとも一つの青感ハロゲン化銀乳剤層、少なくとも一つの緑感ハロゲン化銀乳剤層及び／又は少なくとも一つの赤感ハロゲン化銀乳剤層、上記感光層上の一つの保護層及び所望により上記感光層の間の層からなる写真記録材料であって；上記層の少なくとも一つが式：
【化１】
1998115898.tif 000001
〔式中、Ｒ1は水素原子；炭素原子数１ないし２４のアルキル基又は炭素原子数５ないし１２のシクロアルキル基；又は１ないし９個のハロゲン原子、−Ｒ4、−ＯＲ5、−Ｎ（Ｒ5）2、＝ＮＲ5、＝Ｏ、−ＣＯＮ（Ｒ5）2、−ＣＯＲ5、−ＣＯＯＲ5、−ＯＣＯＲ5、−ＯＣＯＮ（Ｒ5）2、−ＣＮ、−ＮＯ2、−ＳＲ5、−ＳＯＲ5、−ＳＯ2Ｒ5、−Ｐ（Ｏ）（ＯＲ5）2、モルホリニル基、ピペリジニル基、２，２，６，６−テトラメチルピペリジニル基、ピペラジニル基又はＮ−メチルピペラジニル基、又はその組合せによって置換されている炭素原子数１ないし２４のアルキル基又は炭素原子数５ないし１２のシクロアルキル基；又は１ないし６個の、フェニレン基、−Ｏ−、−ＮＲ5−、−ＣＯＮＲ5−、−ＣＯＯ−、−ＯＣＯ−、−ＣＨ（Ｒ5）−、−Ｃ（Ｒ5）2−又は−ＣＯ−基又はそれらの組合せで中断されている炭素原子数１ないし２４のアルキル基又は炭素原子数５ないし１２のシクロアルキル基を表し；又はＲ1は炭素原子数２ないし２４のアルケニル基；ハロゲン原子；−ＳＲ3、−ＳＯＲ3；−ＳＯ2Ｒ3；−ＳＯ3Ｈ；又は−ＳＯ3Ｍを表し；Ｒ3は炭素原子数１ないし２０のアルキル基；炭素原子数３ないし１８のアルケニル基；炭素原子数５ないし１２のシクロアルキル基；炭素原子数７ないし１５のフェニルアルキル基、又は未置換であるかもしくは炭素原子数１ないし４のアルキル基の１ないし３個で置換されている炭素原子数６ないし１２のアリール基を表し；Ｒ4は未置換の炭素原子数６ないし１２のアリール基；又は１ないし３個の、ハロゲン原子、炭素原子数１ないし８のアルキル基又は炭素原子数１ないし８のアルコキシ基又はそれらの組合せで置換されている炭素原子数６ないし１２のアリール基；炭素原子数５ないし１２のシクロアルキル基；未置換の炭素原子数７ないし１５のフェニルアルキル基；フェニル環において１ないし３個の、ハロゲン原子、炭素原子数１ないし８のアルキル基、炭素原子数１ないし８のアルコキシ基又はそれらの組合せで置換されている炭素原子数７ないし１５のフェニルアルキル基；又は炭素原子数２ないし８のアルケニル基を表し；Ｒ5はＲ4；水素原子；炭素原子数１ないし２４のアルキル基；又は式
【化２】
1998115898.tif 000002
（式中、Ｔは水素原子；炭素原子数１ないし８のアルキル基；ヒドロキシル基でもしくはアシルオキシ基で置換されている炭素原子数２ないし８のアルキル基；酸素原子；ヒドロキシル基；−ＣＨ2ＣＮ；炭素原子数１ないし１８のアルコキシ基；炭素原子数５ないし１２のシクロアルコキシ基；炭素原子数３ないし６のアルケニル基；炭素原子数７ないし９のフェニルアルキル基；フェニル環において炭素原子数１ないし４のアルキル基で１、２もしくは３回置換されている炭素原子数７ないし９のフェニルアルキル基；又は脂肪族の炭素原子数１ないし８のアルカノイル基を表す。）で表される基を表し；Ｒ6ないしＲ15は互いに独立して水素原子、ヒドロキシル基；−Ｃ≡Ｎ；炭素原子数１ないし２０のアルキル基；炭素原子数１ないし２０のアルコキシ基；炭素原子数７ないし２０のフェニルアルキル基；炭素原子数４ないし１２のシクロアルキル基；炭素原子数４ないし１２のシクロアルコキシ基；ハロゲン原子；ハロ−炭素原子数１ないし５のアルキル基；スルホニル基；カルボキシル基；アシルアミノ基、アシルオキシ基；炭素原子数１ないし１２のアルコキシカルボニル基；アミノカルボニル基；−Ｏ−Ｙ；又はＯ−Ｚ；あるいはＲ8及びＲ9はフェニル基と一緒になって酸素原子もしくは窒素原子によって中断されている環状の基を形成し；そしてＲ11は、ｑが０の場合は、追加して−ＮＧ16Ｇ17を含み；Ｇ16は水素原子又は炭素原子数１ないし２０のアルキル基を表し；Ｇ17は水素原子、炭素原子数１ないし２０のアルキル基、炭素原子数７ないし１３のフェニルアルキル基、−Ｃ（＝Ｏ）−Ｇ19、−Ｃ（＝Ｏ）−ＮＨ−Ｇ16を表し；そしてＧ19は炭素原子数１ないし２０のアルキル基；１ないし６個の酸素原子で中断され及び／又はＯＨ、ハロゲン原子、ＮＨ2、ＮＨＧ9又はＮＧ9Ｇ10（式中、Ｇ9とＧ10は上述のＲ5と同じに定義される）により置換されている炭素原子数２ないし２０のアルキル基；炭素原子数１ないし２０のアルコキシ基；フェニル基；炭素原子数７ないし１３のフェニルアルキル基又は炭素原子数２ないし２０のアルケニル基を表し；Ｍはアルカリ金属を表し；ｐは１又は２を表し；ｑは０又は１を表し；ｒは１又は０を表し；そしてｐ＝１である場合は、
Ｘ，Ｙ及びＺは、互いに独立して、Ｒy；Ｒx−置換炭素原子数１ないし２４のアルキル基；酸素原子で中断され及びヒドロキシル基及び／又はＲxで置換されている炭素原子数２ないし５０のアルキル基；Ｒx−置換炭素原子数４ないし１２のシクロアルキル基；ＲyＯ−置換炭素原子数４ないし１２のシクロアルキル基；酸素原子で中断されている炭素原子数４ないし２０のアルケニル基；又は式−ＣＨ（（ＣＨ2）n−Ｒ2）−ＣＯ−Ｏ−（ＣＨ2）m−Ｒ’2；−ＣＨ((ＣＨ2)n−Ｒ2）−ＣＯ−（ＮＲ’）−（ＣＨ2）m−Ｒ’2；
【化３】
1998115898.tif 000003
−ＣＯ−（ＣＨ2）n−Ｒ2；−ＣＯ−Ｏ−（ＣＨ2）n−Ｒ2；−ＣＨ2−ＣＨ（−Ｏ（ＣＯ）−Ｒ2）−Ｒ’2又は−ＣＯ−ＮＲ’−（ＣＨ2）n−Ｒ2で表される基を表し；Ｒ2及びＲ’2は、互いに独立して、炭素原子に結合される場合Ｒxを表しならびに炭素以外の原子に結合される場合Ｒyを表し；ｎは０ないし２０を表し；そしてｍは０ないし２０を表し；そしてｐ＝２である場合；Ｙ及びＺは、互いに独立してｐが１を表す場合に定義された意味を表し；そしてＸは、炭素原子数２ないし１２のアルキレン基；−ＣＯ−（炭素原子数２ないし１２のアルキレン）−ＣＯ−；−ＣＯ−フェニレン−ＣＯ−；−ＣＯ−ビフェニレン−ＣＯ−；ＣＯ−Ｏ−（炭素原子数２ないし１２のアルキレン）−Ｏ−ＣＯ−；−ＣＯ−Ｏ−フェニレン−Ｏ−ＣＯ−；−ＣＯ−Ｏ−ビフェニレン−Ｏ−ＣＯ−；−ＣＯ−ＮＲ’−（炭素原子数２ないし１２のアルキレン）−ＮＲ’−ＣＯ−；−ＣＯ−ＮＲ’−フェニレン−ＮＲ’−ＣＯ−；−ＣＯ−ＮＲ’−ビフェニレン−ＮＲ’−ＣＯ−；−ＣＨ2−ＣＨ（ＯＨ）−ＣＨ2−；−ＣＨ2−ＣＨ（ＯＲ2）−ＣＨ2−；−ＣＨ2−ＣＨ（ＯＨ）−ＣＨ2−Ｏ−Ｄ−Ｏ−ＣＨ2−ＣＨ（ＯＨ）−ＣＨ2；−ＣＨ（（ＣＨ2）nＲ2）−ＣＯＯ−Ｄ−ＯＯＣ−ＣＨ（（ＣＨ2）nＲ2）−；又は−ＣＨ2−ＣＨ（ＯＲ2）−ＣＨ2−Ｏ−Ｄ−Ｏ−ＣＨ2−ＣＨ（ＯＲ2）−ＣＨ2−を表し；Ｄは、炭素原子数２ないし１２のアルキレン基；１個以上の酸素原子で中断されている炭素原子数４ないし５０のアルキレン基；フェニレン基；ビフェニレン基又はフェニレン−Ｅ−フェニレン基を表し；Ｅは−Ｏ−；−Ｓ−；−ＳＯ2−；−ＣＨ2−；−ＣＯ−；又は−Ｃ（ＣＨ3）2−を表し；Ｒxは水素原子；ヒドロキシル基；炭素原子数１ないし２０のアルキル基；炭素原子数４ないし１２のシクロアルキル基、炭素原子数１ないし２０のアルコキシ基；炭素原子数４ないし１２のシクロアルキルオキシ基；１個以上の酸素原子で中断されている炭素原子数４ないし１２のシクロアルキル基又は炭素原子数４ないし１２のシクロアルコキシ基；炭素原子数６ないし１２のアリール基；ヘテロ−炭素原子数３ないし１２のアリール基；−ＯＲz；ＮＨＲz；Ｒz；ＣＯＮＲ’Ｒ’’；アリル基；炭素原子数２ないし２０のアルケニル基；炭素原子数４ないし１２のシクロアルケニル基；１個以上の酸素原子で中断されている炭素原子数４ないし１２のシクロアルケニル基；炭素原子数３ないし２０のアルキニル基；又は炭素原子数６ないし１２のシクロアルキニル基を表すか；又は炭素原子数１ないし２０のアルキル基、炭素原子数２ないし２０のアルコキシ基又は炭素原子数４ないし１２のシクロアルキル基であってその各々がヒドロキシル基、−ＮＨ2、−ＮＨ−炭素原子数１ないし８のアルキル基、−ＮＨ−シクロヘキシル基、−Ｎ（炭素原子数１ないし８のアルキル基）2、ジシクロヘキシルアミノ基、ハロゲン原子、炭素原子数１ないし２０のアルキル基、炭素原子数１ないし２０のアルコキシ基、炭素原子数４ないし１２のシクロアルキル基、炭素原子数４ないし１２のシクロアルコキシ基、炭素原子数２ないし２０のアルケニル基、炭素原子数４ないし１２のシクロアルキル基、炭素原子数３ないし２０のアルキニル基、炭素原子数６ないし１２のシク���アルキニル基、炭素原子数６ないし１２のアリール基、アシルアミノ基、アシルオキシ基、スルホニル基、カルボキシル基、（メト）アクリルオキシ基、（メト）アクリルアミノ基、
【化４】
1998115898.tif 000004
により置換されており；Ｒyは水素原子；炭素原子数１ないし２０のアルキル基；炭素原子数４ないし１２のシクロアルキル基；一個以上の酸素原子で中断されている炭素原子数４ないし１２のシクロアルキル基；炭素原子数６ないし１２のアリール基；ヘテロ−炭素原子数３ないし１２のアリール基；Ｒz；アリル基；炭素原子数２ないし２０のアルケニル基；中断されていないか又は１個以上の酸素原子で中断されている炭素原子数４ないし１２のシクロアルケニル基；炭素原子数３ないし２０のアルキニル基；又は炭素原子数６ないし１２のシクロアルキニル基を表すか；又は炭素原子数１ないし２０のアルキル基又は炭素原子数４ないし１２のシクロアルキル基であってその各々がヒドロキシル基、−ＮＨ2、−ＮＨ−炭素原子数１ないし８のアルキル基、−ＮＨ−シクロヘキシル基、−Ｎ（炭素原子数１ないし８のアルキル基）2、ジシクロヘキシルアミノ基、ハロゲン原子、炭素原子数１ないし２０のアルキル基、炭素原子数１ないし２０のアルコキシ基、炭素原子数４ないし１２のシクロアルキル基、炭素原子数４ないし１２のシクロアルコキシ基、炭素原子数２ないし２０のアルケニル基、炭素原子数４ないし１２のシクロアルケニル基、炭素原子数３ないし２０のアルキニル基、炭素原子数６ないし１２のシクロアルキニル基、炭素原子数６ないし１２のアリール基、アシルアミノ基、アシルオキシ基、スルホニル基、カルボキシル基、（メト）アクリルオキシ基、（メト）アクリルアミノ基、
【化５】
1998115898.tif 000005
により置換されており；Ｒzは−ＣＯＲ’；−ＣＯＯＲ’；−ＣＯＮＲ’Ｒ’’；−ＣＯ−ＣＨ＝ＣＨ2；又は−ＣＯ−Ｃ（ＣＨ3）＝ＣＨ2を表し；Ｒ’及びＲ’’は、互いに独立して、水素原子；炭素原子数１ないし２０のアルキル基；１個以上の酸素原子で中断されている炭素原子数４ないし５０のアルキル基；炭素原子数４ないし１２のシクロアルキル基；１個以上の酸素原子で中断されている炭素原子数４ないし１２のシクロアルキル基；炭素原子数２ないし２０のアルケニル基；１個以上の酸素原子で中断されている炭素原子数４ないし２０のアルケニル基；又は炭素原子数６ないし１２のアリール基を表すか；又は炭素原子数１ないし２０のアルキル基又は炭素原子数４ないし１２のシクロアルキル基であってその各々がヒドロキシル基、−ＮＨ2、−ＮＨ−炭素原子数１ないし８のアルキル基、−ＮＨ−シクロヘキシル基、−Ｎ（炭素原子数１ないし８のアルキル基）2、ジシクロヘキシルアミノ基、ハロゲン原子、炭素原子数１ないし２０のアルキル基、炭素原子数１ないし２０のアルコキシ基、炭素原子数４ないし１２のシクロアルキル基、炭素原子数４ないし１２のシクロアルコキシ基、炭素原子数２ないし２０のアルケニル基、炭素原子数４ないし１２のシクロアルケニル基、炭素原子数３ないし２０のアルキニル基、炭素原子数６ないし１２のシクロアルキニル基、炭素原子数６ないし１２のアリール基、アシルアミノ基、アシルオキシ基、スルホニル基、カルボキシル基、（メト）アクリルオキシ基、（メト）アクリルアミノ基、
【化６】
1998115898.tif 000006
により置換されている。〕により表される化合物を含有する写真記録材料。
【請求項２】
支持体上の、少なくとも一つの青感ハロゲン化銀乳剤層、少なくとも一つの緑感ハロゲン化銀乳剤層及び／又は少なくとも一つの赤感ハロゲン化銀乳剤層、感光層上の一つの保護層及び所望により上記感光層の間の層からなる写真記録材料を安定化する方法であって；請求項１記載の式（１）により表される紫外線吸収剤を上記層の少なくとも一つに配合させることからなる方法。